(57)【要約】【課題】  ルーバー羽根の室外側からの抜き取りを簡単な方法で阻止できるようにして、ルーバー窓の防犯性を安価に向上する。【解決手段】  ルーバー窓１を構成するルーバー羽根７の左右方向端部を支持するルーバー支持具６の外周面に沿って周回可能な枠形状に形成されたルーバー窓用プロテクタ３０を、当該ルーバー支持具６に対して室外側から室内側に向かって挿入し、このプロテクタ３０の後端部分をルーバー窓１の室内側で締結する。【選択図】図１
2007255173.tif 000002
【特許請求の範囲】
【請求項１】
ルーバー窓を構成する縦枠の内側面に上下揺動自在に枢着されたルーバー支持具の前端壁部を被覆可能な前端プレートと、
この前端プレートの上端から後方に延設されかつ前記ルーバー支持具とほぼ同じ前後方向長さを有する上面プレートと、
前記前端プレートの下端から後方に延設されかつ前記ルーバー支持具とほぼ同じ前後方向長さを有する下面プレートと、
前記上面プレートと下面プレートの後端同士を前記ルーバー窓の室内側において互いに締結するための締結部と、
を備えていることを特徴とするルーバー窓用プロテクタ。
【請求項２】
前記締結部は、前記上面プレートの後端から下方に延設された上締結板と、前記下面プレートの後端から上方に延設されかつ前記上締結板に対して重合状態としてねじ止め可能な下締結板とから構成されている請求項１に記載のルーバー窓用プロテクタ。
【請求項３】
前記上下の締結板同士が互いに離れる開脚姿勢と、前記上下の締結板同士が互いに重合する閉脚姿勢とのいずれかに姿勢変更可能となるように、前記上面プレートと前記下面プレートとが前記前端プレートに対して屈曲変形自在となっている請求項１に記載のルーバー窓用プロテクタ。
【請求項４】
前記ルーバー支持具の外端面に引っ掛かって装着後の当該ルーバー窓用プロテクタがルーバー窓の中央側に移動するのを防止する掛止片が、前記上面プレート又は下面プレート若しくはこれらの双方に設けられている請求項１〜３のいずれか１項に記載のルーバー窓用プロテクタ。
【請求項５】
上下枠及び左右一対の縦枠から方形状に枠組みされた窓枠と、前記左右一対の縦枠の内側面に上下方向に等間隔おきに配列されかつその内側面に上下揺動自在に枢着された複数のルーバー支持具と、左右両端部が左右の前記ルーバー支持具にそれぞれ嵌合された状態で支持されているルーバー羽根とを備えているルーバー窓において、
請求項１〜４のいずれか１項に記載のルーバー窓用プロテクタが前記各ルーバー支持具に装着されていることを特徴とするルーバー窓。
【請求項６】
ルーバー窓を構成するルーバー羽根の左右方向端部を支持するルーバー支持具の外周面に沿って周回可能な枠形状に形成されたルーバー窓用プロテクタを、当該ルーバー支持具に対して室外側から室内側に向かって挿入し、このプロテクタの後端部分を前記ルーバー窓の室内側で締結することを特徴とするルーバー窓の補強方法。
【発明の詳細な説明】
【技術分野】
【０００１】  本発明は、ルーバー窓用プロテクタとそのルーバー窓の補強方法に関する。
【背景技術】
【０００２】  従来より、例えば浴室やキッチン用の窓装置として、室内側からの開閉が簡単で容易に換気が行えるルーバー窓が知られている。
このルーバー窓は、上下枠及び左右一対の縦枠から方形状に枠組みされた窓枠と、左右一対の縦枠の内側面に上下方向に等間隔おきに配列されかつその内側面に上下揺動自在に枢着された複数のルーバー支持具と、左右両端部がルーバー支持具にそれぞれ嵌合された状態で支持されているルーバー羽根と、各ルーバー支持具を同時に上下揺動させるための室内側に配置された駆動機構とを備えている（特許文献１参照）。【０００３】  このため、上記ルーバー窓では、駆動機構を閉鎖方向に操作すると、各ルーバー支持具が縦向きとなる方向に揺動し、ルーバー羽根の上下端部同士が重なり合う閉鎖姿勢となり、駆動機構を開放方向に操作すると、各ルーバー支持具が横向きとなる方向に揺動し、ルーバー羽根の上下端部同士が互いに離れる開放姿勢となる。
また、かかるルーバー窓の防犯性を高めるために、ルーバー窓の室内側に格子窓を設置することにより、ルーバー窓が破壊されても盗犯者が室内に侵入するのを阻止するようにしたルーバー窓のプロテクト方法が知られている（特許文献２参照）。
【特許文献１】  特開２００４−１９７４７７号公報
【特許文献２】  特開２００４−３６０３４５号公報
【発明の開示】
【発明が解決しようとする課題】
【０００４】  上記ルーバー窓においては、室外側に露出しているルーバー支持具の前端壁部を破断させると、ルーバー羽根を室外側から抜き取ることができ、この点が当該ルーバー窓の防犯上の弱点とされている。
このように、ルーバー羽根を支持するルーバー支持具の前端壁部が防犯上の弱点になっているにも拘わらず、当該ルーバー支持具の前端壁部が所謂かしめ止めのみでルーバー羽根の前端面を掛止している構造のルーバー窓がある。かかる構造のルーバー支持具を有するルーバー窓の場合には、そのルーバー支持具の前端壁部をドライバー等の一般の工具で折り曲げることにより、ルーバー羽根を室外側に簡単に抜き取ることができるので、防犯上において特に脆弱なものとなっていた。【０００５】  一方、前記特許文献２に記載されているように、ルーバー窓の室内側に格子窓を設置すれば、ルーバー羽根を室外側から抜き取ることによる盗犯者の侵入を阻止できるが、そのような格子窓の設置は大がかりで費用が嵩み、また、格子窓を設置する分だけ室内スペースが狭くなるという問題がある。【０００６】  そこで、本発明の課題は、ルーバー羽根の室外側からの抜き取りを簡単な方法で阻止できるようにして、ルーバー窓の防犯性を安価に向上する点にある。
【課題を解決するための手段】
【０００７】  本発明は上記課題を解決するルーバー窓用プロテクタであって、このプロテクタは、ルーバー窓を構成する縦枠の内側面に上下揺動自在に枢着されたルーバー支持具の前端壁部を被覆可能な前端プレートと、この前端プレートの上端から後方に延設されかつ前記ルーバー支持具とほぼ同じ前後方向長さを有する上面プレートと、前記前端プレートの下端から後方に延設されかつ前記ルーバー支持具とほぼ同じ前後方向長さを有する下面プレートと、前記上面プレートと下面プレートの後端同士を前記ルーバー窓の室内側において互いに締結するための締結部とを備えていることを特徴とする。【０００８】  上記のプロテクタをルーバー窓に装着するには、ルーバー支持具の外周面に沿って周回可能な枠形状に形成された当該プロテクタを、ルーバー支持具に対して室外側から室内側に向かって挿入し、このプロテクタの後端部分にある上記締結部をルーバー窓の室内側で締結すればよい。
このさい、ルーバー支持具の前端壁部がプロテクタの前端プレートによって被覆されるので、その前端壁部を破断してルーバー羽根を抜き取ろうとする盗犯者が居ても、その前端壁部を破断するのにより手間と時間を要することになる。このため、盗犯者がルーバー羽根の抜き取りを諦める蓋然性が高くなり、ルーバー窓の防犯性が向上する。【０００９】  また、本発明によれば、上記ルーバー用プロテクタを各ルーバー支持具に装着するだけでルーバー羽根の室外側からの抜き取りを阻止できるので、室内側に格子窓を設置する場合に比べて材料費も施工手間も安価になり、ルーバー窓の防犯性を安価に向上することができる。【００１０】  本発明のプロテクタにおいて、前記締結部は、前記上面プレートの後端から下方に延設された上締結板と、前記下面プレートの後端から上方に延設されかつ前記上締結板に対して重合状態としてねじ止め可能な下締結板とから構成することができる。
この場合には、重合状態にある上下の締結板に対して締結ねじを室内側から螺合させるだけで、締結部の締結作業が完了するので、プロテクタを装着するに当たっての室内側の作業が極めて簡便になる。【００１１】  また、本発明のプロテクタは、前記上下の締結板同士が互いに離れる開脚姿勢と、前記上下の締結板同士が互いに重合する閉脚姿勢とのいずれかに姿勢変更可能となるように、前記上面プレートと前記下面プレートとが前記前端プレートに対して屈曲変形自在となっていることが好ましい。
この場合には、開脚姿勢の状態でルーバー支持具に挿入されたプロテクタを、簡単に閉脚姿勢にすることができるので、当該プロテクタの装着作業がより簡便になる。【００１２】  更に、本発明のプロテクタにおいて、前記ルーバー支持具の外端面に引っ掛かって装着後の当該ルーバー窓用プロテクタがルーバー窓の中央側に移動するのを防止する掛止片を、前記上面プレート又は下面プレート若しくはこれらの双方に設けるようにすれば、装着後のプロテクタが横方向にずれてルーバー支持具から外れるのが防止され、当該プロテクタの防犯機能がより確実に維持される。
【発明の効果】
【００１３】  以上の通り、本発明によれば、ルーバー用プロテクタを各ルーバー支持具に装着するだけでルーバー羽根の室外側からの抜き取りを阻止できるので、ルーバー窓の防犯性を安価に向上することができる。
【発明を実施するための最良の形態】
【００１４】  以下、図面に基づいて、本発明の実施形態を説明する。
図１は、本発明のプロテクタが適用されるルーバー窓を示している。
このルーバー窓１は、方形枠状に枠組みされたアルミ押出成形品等よりなる金属製の窓枠２を備えており、この窓枠２は、上下一対の上枠３及び下枠４と、これらの左右端同士を互いに連結する左右一対の縦枠５とから構成されている。【００１５】  本実施形態のルーバー窓１は、上記窓枠２と、この窓枠２を構成する両縦枠５の内側面に上下方向に等間隔おきに配列された複数のルーバー支持具６と、左右両端部が左右のルーバー支持具６にそれぞれ嵌合された状態で支持されているルーバー羽根７と、その各ルーバー支持具６を同時に上下揺動させるための室内側に配置された駆動機構８とを備えている。
上記複数のルーバー支持具６は、いずれも鋼板等の金属製プレートを屈曲形成することによって構成され、上下一対の挟持プレート１０，１１と、室外側の前端壁部１２と、室内側の後端壁部１３とを備えている。【００１６】  このルーバー支持具６の前端壁部１２は、上側の挟持プレート１０の前端部分を下方に屈曲させることで、所謂かしめ止めされている。このため、本実施形態のルーバー窓１では、両挟持プレート１０，１１の間に差し込まれたルーバー羽根７の左右方向端部の前端面をかしめ止めによる上記前端壁部１２で掛止することにより、当該ルーバー羽根７がルーバー支持具６に固定されている。
なお、本実施形態のルーバー羽根７はガラス製であるが、その下面に金属製の補強プレート１４を貼り付けることにより、盗犯者が簡単に割ることができないように補強されている。【００１７】  各ルーバー支持具６の下側の挟持プレート１１には、室内側に延びる支持アーム１５が取り付けられており、この支持アーム１５の中央部は縦枠５の内面側に上下揺動自在に枢着されている。上下方向に配列された各ルーバー支持具６の支持アーム１５は、縦枠５に沿って上下方向に延びる連動バー１６に連動連結されており、各支持アーム１５の後端部がその連動バー１６に相対回動自在に枢着されている。
前記駆動機構８は、回動操作自在な操作レバー１７を有するボックス体よりなり、このボックス体は縦枠５の室内側面に取り付けられている。ボックス体の内部には、操作レバー１７の回動運動を連動バー１６の上下直線運動に変換する、ギア機構等よりなる運動変換機構が設けられている。【００１８】  このため、駆動機構８の操作レバー１７を回動操作すると、連動バー１６が上下のいずれか一方に直線運動し、これによって各支持アーム１５が上下に揺動運動する。従って、駆動機構８の操作レバー１７を閉鎖方向に操作すると、各ルーバー支持具６が連動バー１６を介して縦向きとなる方向に揺動し、ルーバー羽根７の上下端部同士が重なり合う閉鎖姿勢となる。他方、駆動機構６の操作レバー１７を開放方向に操作すると、各ルーバー支持具６が連動バー１６を介して横向きとなる方向に揺動し、ルーバー羽根７の上下端部同士が互いに離れる開放姿勢となる。【００１９】  図１〜図３に示すように、本実施形態のルーバー窓用プロテクタ３０は、前記ルーバー支持具６の外周面に沿って周回可能な枠形状に形成されており、そのルーバー支持具６の前端壁部１２を被覆可能な前端プレート１９と、この前端プレート１９の上端から後方に延設されかつルーバー支持具６とほぼ同じ前後方向長さを有する上面プレート２０と、前端プレート１９の下端から後方に延設されかつルーバー支持具６とほぼ同じ前後方向長さを有する下面プレート２１と、上面プレート２０と下面プレート２１の後端同士をルーバー窓１の室内側において互いに締結するための締結部２２とを備えている。【００２０】  本実施形態のプロテクタ３０は、例えば鋼材等の金属製プレートを屈曲形成してなり、前記した前端プレート１９と、上面プレート２０及び下面プレート２１と、締結部２２とを一体に備えている。このうち、前端プレート１９は、前端壁部１２にほぼ相当する縦寸法と、その前端壁部１２にほぼ相当するか或いはこれよりやや大きい幅寸法を有する。
また、上面プレート２０は、上側の挟持プレート１０にほぼ相当するか或いはこれよりやや大きい幅寸法を有し、下面プレート２１は、下側の挟持プレート１１にほぼ相当するか或いはこれよりやや大きい幅寸法を有している。【００２１】  なお、プロテクタ３０の上面プレート２０と下面プレート２１には、ルーバー支持具６の側面から見た外周形状に適合するように、適所に段差部分が形成されている（図２参照）。また、プロテクタ３０の材質は、盗犯者によって容易に破断できない強度のものであれば足り、例えばＦＲＰやその他の硬質プラスチック等を採用することもできる。
前記締結部２２は、上面プレート２０の後端から下方に延設された上締結板２３と、下面プレート２１の後端から上方に延設されかつ上締結板２３に対して重合状態としてねじ止め可能な下締結板２４とから構成されている。【００２２】  上記した上下の締結板２３，２４のうち、上締結板２３は、重合状態において室内側に位置し、ねじ挿通孔を中央部に備えている。他方、下締結板２４は、重合状態において室外側に位置し、バーリング加工等によって形成されたねじ螺合部を中央部に備えている。
このため、本実施形態のプロテクタ３０を閉脚姿勢（図２の仮想線状態）にすると、上下の締結板２３，２４が互いに重合され、この状態でねじ螺合部に締結ねじ２５（図１参照）を螺合させることにより、両締結板２３，２４を互いに連結できるようになっている。【００２３】  図２に示すように、本実施形態のプロテクタ３０は、上下の締結板２３，２４同士が互いに離れる開脚姿勢（図２の実線状態）と、上下の締結板２３，２４同士が互いに重合する閉脚姿勢（図２の仮想線状態）とのいずれかに姿勢変更可能となるように、上面プレート２０と下面プレート２１とが前端プレート１９に対して屈曲変形自在となっている。
また、図２及び図３に示すように、上面プレート２０の幅方向一端側には下方に延びる掛止片２６が形成されており、この掛止片２６は、ルーバー支持具６の外端面（上側の挟持プレート１０の幅方向端縁）に引っ掛かって装着後のプロテクタ３０がルーバー窓１の中央側に移動するのを防止する機能を有する。【００２４】  次に、上記構成を有するプロテクタ３０を用いたルーバー窓１の補強方法と、そのプロテクタ３０の作用効果を説明する。
まず、本実施形態のプロテクタ３０をルーバー窓１に装着するには、図１に矢印で示すように、開脚姿勢にしてある当該プロテクタ３０をルーバー支持具６に対して室外側から室内側に向かって差し込み、その前端プレート１９でルーバー支持具６の前端壁部１２を被覆する。
その後、図１に仮想線で示すように、プロテクタ３０を閉脚姿勢にして室内側において上下の締結板２３，２４を互いに重合させ、この状態でこれらの締結板２３，２４に締結ねじ２５を室内側から螺合させるようにすればよい。【００２５】  このように、本実施形態のプロテクタ３０を各ルーバー支持具６に装着すると、ルーバー支持具６の前端壁部１２がプロテクタ３０の前端プレート１９で被覆されるので、その前端壁部１２を破断してルーバー羽根７を室外側に抜き取ろうとする盗犯者が居ても、その前端壁部１２を破断するのにより手間と時間を要することになる。このため、盗犯者がルーバー羽根７の抜き取りを諦める蓋然性が高くなり、この点で、ルーバー窓１の防犯性が向上することになる。【００２６】  また、本実施形態のプロテクタ３０によれば、当該プロテクタ３０を各ルーバー支持具６に装着するだけでルーバー羽根７の室外側からの抜き取りを阻止ことから、例えば室内側に格子窓を設置する従来例に比べて材料費も施工手間も安価になり、ルーバー窓１の防犯性を安価に向上することができる。【００２７】  なお、本発明は上記した実施形態に限定されるものではない。
例えば、本発明のプロテクタ３０は、ルーバー支持具６の前端壁部１２がかしめ止め構造になっているルーバー窓１の場合（図１の場合）に特に有効であるが、これ以外の固定構造のルーバー支持具を有するルーバー窓にも適用することができる。
また、前記掛止片２６は、上面プレート２０ではなく、下面プレート２１に設けることにしてもよく、これらのプレート２０，２１の双方に設けることにしてもよい。
【図面の簡単な説明】
【００２８】
【図１】  本発明のプロテクタを適用可能なルーバー窓の縦断面図である。
【図２】  本発明の一例であるプロテクタを示す側面図である。
【図３】  （ａ）は図２のプロテクタの平面図、（ｂ）は同プロテクタの底面図、（ｃ）は同プロテクタの左側面図、（ｄ）は同プロテクタの右側面図である。
【符号の説明】
【００２９】  １      ルーバー窓
２      窓枠
３      上枠
４      下枠
５      縦枠
６      ルーバー支持具
７      ルーバー羽根
１２      前端壁部
１９      前端プレート
２０      上面プレート
２１      下面プレート
２２      締結部
２３      上締結板
２４      下締結板
２５      締結ねじ
２６      掛止片
【図１】
2007255173.tif 000003
【図２】
2007255173.tif 000004
【図３】
2007255173.tif 000005